(57)【要約】      （修正有）【課題】有料コンテンツの実際の配信数に対応させて分配金を監査する。【解決手段】暗号化コンテンツを配信し、分配金の報告を送信する配信装置と、分配金の報告を受信し、暗号化コンテンツの元となるコンテンツの著作権者の操作により、分配金の報告に対する監査要求を送信する著作権者端末と、暗号化コンテンツの配信時に、当該暗号化コンテンツの複合鍵を発行すると共に、複合鍵の発行数を記憶しておき、著作権者装置から監査要求を受診すると、複合鍵の発行数に応じた分配金額を算出する構成により、上記課題を解決する。【選択図】図１
2006155201.tif 000002
【特許請求の範囲】
【請求項１】
暗号化コンテンツの配信数に応じた分配金額の報告に関し、前記分配金額の監査を支援するための分配金監査支援システムであって、
前記暗号化コンテンツを配信し、前記分配金の報告を送信する配信装置と、
前記分配金の報告を受信し、前記暗号化コンテンツの元となるコンテンツの著作権者の操作により、前記分配金の報告に対する監査要求を送信する著作権者端末と、
前記暗号化コンテンツの配信時に、当該暗号化コンテンツの復号鍵を発行すると共に、前記復号鍵の発行数を記憶しておき、前記著作権者装置から監査要求を受信すると、前記復号鍵の発行数に応じて分配金額を算出し、この算出結果を前記著作権者端末に返信する鍵発行者装置と、
を備えたことを特徴とする分配金監査支援システム。
【請求項２】
配信装置により配信された暗号化コンテンツの配信数に応じた分配金額の報告を著作権者端末が受けたとき、前記著作権者端末からの前記分配金額の監査を支援するための分配金監査支援方法であって、
前記暗号化コンテンツの配信時に、前記配信装置とは異なる鍵発行装置により、当該暗号化コンテンツの復号鍵を発行する工程と、
前記鍵発行装置により、前記復号鍵の発行数を記憶する工程と、
前記鍵発行装置が前記著作権者端末から監査要求を受けると、前記復号鍵の発行数に応じて分配金額を算出する工程と、
前記鍵発行装置がこの算出結果を前記著作権者端末に返信する工程と、
を備えたことを特徴とする分配金監査支援方法。
【請求項３】
配信センタ装置により配信された暗号化コンテンツの配信数に応じた分配金額の報告を著作権者端末が受けたとき、前記著作権者端末からの前記分配金額の監査を支援するための分配金監査支援方法に用いられる鍵発行装置であって、
前記暗号化コンテンツの配信時に、当該暗号化コンテンツの復号鍵を発行する鍵発行手段と、
前記復号鍵の発行数をメモリに書き込む発行数書込手段と、
前記著作権者端末から監査要求を受けると、前記メモリ内の前記発行数に応じて分配金額を算出する分配金額算出手段と、
この算出結果を前記著作権者端末に返信する算出結果返信手段と、
を備えたことを特徴とする鍵発行者装置。
【請求項４】
配信センタ装置により配信された暗号化コンテンツの配信数に応じた分配金額の報告を著作権者端末が受けたとき、前記著作権者端末からの前記分配金額の監査を支援するための分配金監査支援方法に用いられる鍵発行装置のプログラムであって、
前記鍵発行装置のコンピュータを、
前記暗号化コンテンツの配信時に、当該暗号化コンテンツの復号鍵を発行する手段、
前記復号鍵の発行数をメモリに記憶する手段、
前記著作権者端末から監査要求を受けると、前記メモリ内の前記発行数に応じて分配金額を算出する手段、
この算出結果を前記著作権者端末に返信する手段、
として機能させるためのプログラム。
【請求項５】
配信装置により配信された暗号化コンテンツの配信数に応じた分配金額の報告を鍵発行装置が受けたとき、前記鍵発行装置により、前記分配金額の監査を支援するための分配金監査支援方法であって、
前記暗号化コンテンツの配信時に、当該暗号化コンテンツの復号鍵を発行する工程と、
前記復号鍵の発行数を記憶する工程と、
前記記憶した発行数に応じて分配金額を算出する工程と、
得られた算出結果を出力する工程と、
を備えたことを特徴とする分配金監査支援方法。
【請求項６】
配信装置により配信された暗号化コンテンツの配信数に応じた分配金額の報告を鍵発行装置が受けたとき、前記分配金額の監査を支援するための分配金監査支援方法に用いられる前記鍵発行装置であって、
前記暗号化コンテンツの配信時に、当該暗号化コンテンツの復号鍵を発行する鍵発行手段と、
前記復号鍵の発行数をメモリに書き込む発行数書込手段と、
前記メモリ内の前記発行数に応じて分配金額を算出する分配金額算出手段と、
得られた算出結果を出力する算出結果出力手段と、
を備えたことを特徴とする鍵発行者装置。
【請求項７】
配信装置により配信された暗号化コンテンツの配信数に応じた分配金額の報告を鍵発行装置が受けたとき、前記分配金額の監査を支援するための分配金監査支援方法に用いられる前記鍵発行装置のプログラムであって、
前記鍵発行装置のコンピュータを、
前記暗号化コンテンツの配信時に、当該暗号化コンテンツの復号鍵を発行する手段、
前記復号鍵の発行数をメモリに記憶する手段、
前記メモリ内の前記発行数に応じて分配金額を算出する手段、
得られた算出結果を出力する手段、
として機能させるためのプログラム。
【発明の詳細な説明】
【技術分野】
【０００１】
本発明は、複数の事業者からなる有料コンテンツ配信事業に用いられる分配金監査支援システム、装置及びプログラムに係り、特に、有料コンテンツの実際の配信数に対応させて分配金を監査し得る分配金監査支援システム、方法、装置及びプログラムに関する。
【背景技術】
【０００２】
現在、有料コンテンツ配信事業では、配信事業者は、有料コンテンツを顧客に電子配信して各顧客から課金し、結果として、コンテンツの配信数にコンテンツの単価を乗じた売上げを得る。売上げの分配金は予めコンテンツ著作権者と配信事業者との間の契約により決定されている。従って、配信事業者は、売上げ金額から契約に応じて分配金をコンテンツ著作権者に支払う。ここで、分配金額を正確に算出する観点から、収益管理装置を用いる方法が知られている（例えば、特許文献１参照）。
【特許文献１】特開２００３−２８８４３１号公報
【発明の開示】
【発明が解決しようとする課題】
【０００３】
しかしながら、以上のような有料コンテンツ配信事業では、収益管理装置を用いたとしても、コンテンツ著作権者側にとっては、実際よりも少ない配信数に応じて低い金額の分配金が支払われる心配がある。この心配は、コンテンツ著作権者が分配金額の報告を配信事業者から受けた際に、実際の配信数に対応した金額か否かを確認することが困難であることから生じている。
【０００４】
本発明は上記実情を考慮してなされたもので、有料コンテンツの実際の配信数に対応させて分配金を監査し得る分配金監査支援システム、方法、装置及びプログラムを提供することを目的とする。
【課題を解決するための手段】
【０００５】
第１の発明は、暗号化コンテンツの配信数に応じた分配金額の報告に関し、前記分配金額の監査を支援するための分配金監査支援システムであって、前記暗号化コンテンツを配信し、前記分配金の報告を送信する配信装置と、前記分配金の報告を受信し、前記暗号化コンテンツの元となるコンテンツの著作権者の操作により、前記分配金の報告に対する監査要求を送信する著作権者端末と、前記暗号化コンテンツの配信時に、当該暗号化コンテンツの復号鍵を発行すると共に、前記復号鍵の発行数を記憶しておき、前記著作権者装置から監査要求を受信すると、前記復号鍵の発行数に応じて分配金額を算出し、この算出結果を前記著作権者端末に返信する鍵発行者装置と、を備えた分配金監査支援システムである。
【０００６】
第２の発明は、配信装置により配信された暗号化コンテンツの配信数に応じた分配金額の報告を著作権者端末が受けたとき、前記著作権者端末からの前記分配金額の監査を支援するための分配金監査支援方法であって、前記暗号化コンテンツの配信時に、前記配信装置とは異なる鍵発行装置により、当該暗号化コンテンツの復号鍵を発行する工程と、前記鍵発行装置により、前記復号鍵の発行数を記憶する工程と、前記鍵発行装置が前記著作権者端末から監査要求を受けると、前記復号鍵の発行数に応じて分配金額を算出する工程と、前記鍵発行装置がこの算出結果を前記著作権者端末に返信する工程と、を備えた分配金監査支援方法である。
【０００７】
第３の発明は、配信装置により配信された暗号化コンテンツの配信数に応じた分配金額の報告を鍵発行装置が受けたとき、前記鍵発行装置により、前記分配金額の監査を支援するための分配金監査支援方法であって、前記暗号化コンテンツの配信時に、当該暗号化コンテンツの復号鍵を発行する工程と、前記復号鍵の発行数を記憶する工程と、前記記憶した発行数に応じて分配金額を算出する工程と、得られた算出結果を出力する工程と、を備えた分配金監査支援方法である。
【０００８】
（作用）
第１乃至第３の発明は、暗号化コンテンツの配信数に応じた分配金額とは別に、復号鍵の発行数に応じた分配金額を算出する構成により、有料コンテンツの実際の配信数に対応させて分配金を監査することができる。
【発明の効果】
【０００９】
以上説明したように本発明によれば、有料コンテンツの実際の配信数に対応させて分配金を監査できる。
【発明を実施するための最良の形態】
【００１０】
以下、本発明の一実施形態について図面を参照しながら説明する。
【００１１】
図１は本発明の一実施形態に係る分配金監査支援方法が適用されるコンテンツ配信システムの構成を示す模式図である。このコンテンツ配信システムは、ユーザ機器１０、配信センタ装置２０、配信サーバ装置４０、鍵発行者装置５０、決済機関装置６０及び著作権者端末７０を備えている。
【００１２】
ここで、ユーザ機器１０は、ＤＲＡＭ１１、ハードディスク（ＨＤＤ）１２、入力部１３、制御部１４、Ｒ／Ｗ部１５、通信部１６及び出力部１７を備えている。
【００１３】
ＤＲＡＭ１１は、制御部１４から読出／書込可能に制御される揮発性メモリである。
【００１４】
ハードディスク１２は、制御部１４から読出／書込可能に制御される不揮発性メモリである。  
入力部１３は、ユーザの操作を制御部１４に入力するための入力インターフェイスである。
【００１５】
制御部１４は、入力部１３からの入力により、暗号化タイトル鍵に基づく暗号化コンテンツの再生処理を実行するといった基本機能に加え、入力部１３からの入力により、ユーザ登録処理、暗号化タイトル鍵取得処理及びコンテンツ取得処理といった処理を実行するものであり、具体的には後述する図８乃至図１０に示す処理を実行するものである。
【００１６】
Ｒ／Ｗ部１５は、例えばＤＶＤ−ＲＡＭ等の記録メディアＭｄを着脱自在に保持するものであり、制御部１４からの制御により、記録メディアＭｄの読出／書込を実行する機能をもっている。
【００１７】
ここで、記録メディアＭｄは、ＣＰＲＭ（Content Protection for Recordable Media）に基づくメディアＩＤを読出可能に保持し、且つ、暗号化タイトル鍵、チケットデータ及び暗号化コンテンツといった任意のデータが読出／書込可能な記憶媒体である。なお、記録メディアＭｄは、Ｒ／Ｗ部１５の説明でＤＶＤ−ＲＡＭを例示したが、これに限らず、ＣＰＲＭに基づく記録メディアであれば適用可能なことは言うまでもない。ＣＰＲＭに基づく記録メディアとしては、例えばＳＤカードがある。なお、詳しくは、記録メディアＭｄにはメディアＩＤが記録されており、鍵発行者装置５０がメディアＩＤに対応して暗号化タイトル鍵を発行する構成であれば、ＣＰＲＭに基づかなくてもよい。
【００１８】
通信部１６は、制御部１４と配信センタ装置２０との間の通信インターフェイスである。
【００１９】
出力部１７は、制御部１４からの制御により、復号されたコンテンツを再生出力するといった基本機能に加え、制御部１４からの入力により、ユーザ登録処理、暗号化タイトル鍵取得処理及びコンテンツ取得処理といった処理の画面を表示する機能をもっている。
【００２０】
配信センタ装置２０は、顧客情報蓄積部２１、コンテンツ管理情報蓄積部２２、顧客販売情報蓄積部２３、売上集計情報蓄積部２４、鍵発行ログ蓄積部２５、分配情報蓄積部２６、加入受付部２７、認証処理部２８、画面生成部２９、販売処理部３０、鍵配信部３１及び分配金処理部３２を備えている。ここで、顧客情報蓄積部２１、コンテンツ管理情報蓄積部２２、顧客販売情報蓄積部２３、売上集計情報蓄積部２４、鍵発行ログ蓄積部２５及び分配情報蓄積部２６は、ＨＤＤやメモリなどのハードウェアである記憶装置により構成される。また、各機能部２７〜３２は、ハードウェアとソフトウエアの組合せとして実現される場合、その機能を実現させるためのプログラムを配信センタ装置２０のコンピュータにインストールして実現される。また、各機能部２７〜３２は、それぞれその機能を実現させるためのファームウェアを含むＬＳＩ装置などの装置として実現可能であり、加入受付装置２７、認証処理装置２８、画面生成装置２９、販売処理装置３０、鍵配信装置３１及び分配金処理装置３２と呼んでもよい。
【００２１】
顧客情報蓄積部２１には、図２に示すように、既存契約の有無、ユーザＩＤ、氏名、住所、生年月日、年齢、ユーザ機器１０の機器ＩＤ、認証ＩＤ、パスワード、メールアドレス及びクレジットカード番号の情報が互いに関連付けて記憶されており、加入受付部２７、認証処理部２８及び販売処理部３０等から読出／書込可能となっている。但し、顧客情報蓄積部２１には、上述したデータ項目に限らず、任意のデータ項目の情報を付加して記憶させてもよい。これは他の蓄積部２２〜２６についても同様である。すなわち、図２〜図７は各蓄積部２１〜２６が有する情報のデータ項目のうち、比較的、本実施形態の動作に関係する項目を示したものであり、他のデータ項目を排除するものではない。
【００２２】
コンテンツ管理情報蓄積部２２には、図３に示すように、コンテンツＩＤ、ジャンル、コンテンツ名、販売期限、著作権者、販売金額、コピー制御情報、コンテンツサイズ及び再生時間といったコンテンツを管理するための情報が互いに関連付けて記憶されており、画面生成部２９及び販売処理部３０等から読出可能となっている。
【００２３】
顧客販売情報蓄積部２３には、図４に示すように、ユーザＩＤ、氏名、住所、機器ＩＤ、コンテンツＩＤ、メディアＩＤ、販売コンテンツ名、販売日、販売金額及びクレジットカード番号の情報が互いに関連付けて記憶されており、販売処理部３０及び鍵配信部３１等から読出／書込可能となっている。
【００２４】
売上集計情報蓄積部２４には、図５に示すように、コンテンツＩＤ、販売コンテンツ名、著作権者ＩＤ、著作権者名、販売日、販売数、単価及び売上金額の情報が互いに関連付けて記憶されており、販売処理部３０、鍵配信部３１及び分配金処理部３２等から読出／書込可能となっている。
【００２５】
鍵発行ログ蓄積部２５には、図６に示すように、ユーザＩＤ、氏名、住所、機器ＩＤ、コンテンツＩＤ、販売コンテンツ名、販売日、販売金額、クレジットカード番号、課金未／済情報及び鍵発行未／済情報が互いに関連付けて記憶されており、鍵配信部３１等から読出／書込可能となっている。
【００２６】
分配金情報蓄積部２６には、分配金処理部３２が分配金の算出をするための基礎データが記憶されたものであり、基礎データとしては、例えば著作権者ＩＤ及び著作権者の分配割合（例、５０％）と、鍵発行者ＩＤ及び鍵発行者の分配割合（例、１５％）とが記憶されている。この例では、配信事業者の分配割合は３５％である。
【００２７】
加入受付部２７は、ユーザ機器１０から受けた申請データを顧客情報蓄積部２１に保存する機能と、発行した認証情報をユーザ機器１０に送信する機能とをもっている。ここで、申請データは、既存ＩＳＰ契約の有無、住所（新規契約のみ）、氏名（新規契約のみ）、生年月日（新規契約のみ）、ユーザＩＤ（契約者のみ）、メールアドレス（契約者のみ）、クレジットカード番号（契約の有無に拘わらず全員）、機器ＩＤ（ＭＡＣアドレス：オンライン加入時のみ）といった各項目から構成されている。なお、加入受付部２７は、オンラインで申請データを受け付ける場合に限らず、郵送された申請データが操作者にキー入力されたものを受け付ける場合もある。一方、認証情報は、既存契約有情報、氏名、認証ＩＤ及びパスワードからなるものである。
【００２８】
認証処理部２８は、ユーザ機器１０から受けるユーザＩＤ及びパスワードに基づいて、顧客情報蓄積部２１を参照しながらユーザ認証処理を実行するものであり、ログインを許可すると、画面生成部２９を起動する機能をもっている。
【００２９】
画面生成部２９は、ユーザ機器１０のログインやコンテンツ販売要求などに応じてコンテンツ管理情報蓄積部２２を参照し、コンテンツリスト画面データやコンテンツ販売確認画面データを生成する機能と、各画面データをユーザ機器１０に送信する機能をもっている。
【００３０】
販売処理部３０は、ユーザ機器１０から受けるチケット取得要求に応じて、チケットデータの作成及び課金処理等を実行する機能をもっている。ここで、チケットデータは、コンテンツＩＤ、セッションＩＤ、メディアＩＤ、及び配信サーバ装置４０のＵＲＬを含むコンテンツ販売済みの証明データである。なお、セッションＩＤは、ユーザ機器１０−配信センタ装置２０間の１トランザクションが完了時に不要となる。メディアＩＤは、記録メディアＭｄの１枚毎に付与されているユニークなＩＤであり、記録メディアのリードイン(lead-In)エリアに記録され、変更が不可となっている。また、チケット取得要求に含まれるメディアＩＤは、コンテンツ販売要求に含まれるメディアＩＤと同じものである必要がある（異なる場合には、チケットデータの作成処理を実行しない）。
【００３１】
鍵配信部３１は、ユーザ機器１０から受ける鍵取得要求を鍵発行者装置５０に転送し、鍵発行者装置５０から受けた暗号化タイトル鍵をユーザ機器１０に配信するものであり、鍵配信時には暗号化タイトル鍵のログ情報を鍵発行ログ蓄積部２５に書き込む機能をもっている。
【００３２】
分配金処理部３２は、決済機関装置６０から受けるコンテンツ毎の売上データに応じて、売上集計情報蓄積部２４及び分配情報蓄積部２６を参照しつつ、コンテンツ著作権者及び鍵発行者への分配金を算出する機能と、分配金の決済処理をコンテンツ著作権者及び鍵発行者を対象としてそれぞれ実行する機能と、分配金及び配信数の情報を含む分配金報告情報を著作権者端末７０及び鍵発行者装置５０にそれぞれ送信する機能とをもっている。
【００３３】
配信サーバ装置４０は、コンテンツＩＤ及び暗号化コンテンツが互いに関連付けて記憶された記憶装置（図示せず）を備えており、ユーザ機器１０から受けるダウンロード要求に応じて暗号化コンテンツをユーザ機器１０に配信するものである。
【００３４】
鍵発行者装置５０は、鍵発行集計情報蓄積部５１、鍵発行部５２、分配金受付部５３及び監査処理部５４を備えている。また、鍵発行者装置５０は、配信センタ装置２０とは別の装置として設けられている。
【００３５】
鍵発行集計情報蓄積部５１には、図７に示すように、コンテンツＩＤ、販売コンテンツ名、販売日、販売数及び単価の情報が互いに関連付けて記憶されており、鍵発行部５２及び監査処理部５４から読出／書込可能となっている。なお、鍵発行集計情報蓄積部５１は、ＨＤＤやメモリなどのハードウェアである記憶装置により構成される。
【００３６】
鍵発行部５２は、ＣＰＲＭ技術に基づいて暗号化タイトル鍵を発行するものであり、予めコンテンツＩＤ毎にタイトル鍵を管理する機能と、配信センタ装置２０から暗号化タイトル鍵取得要求及びコンテンツＩＤを受けると、暗号化タイトル鍵取得要求に含まれるＭＫＢ（Media Key Block）及びメディアＩＤに基づいて、コンテンツＩＤに対応するタイトル鍵を暗号化する機能と、暗号化により得られた暗号化タイトル鍵を配信センタ装置２０に返信する機能とをもっている。なお、鍵発行者装置５０は、ユーザ管理を行わない。鍵発行者装置５０は、１つの暗号化タイトル鍵を返信する毎に販売数を鍵発行集計情報蓄積部５１により蓄積する。
【００３７】
分配金受付部５３は、配信センタ装置２０から分配金報告情報を受けると、この報告情報と監査要求情報とを監査処理部５４に送出する機能をもっている。監査要求情報は、コンテンツＩＤ及び販売時期の情報を含んでいる。
【００３８】
監査処理部５４は、分配金受付部５３や著作権者端末７０から受けたコンテンツＩＤ及び販売時期を含む監査要求情報に基づいて、鍵発行集計情報蓄積部５１内の販売数に基づいて分配金を算出し、算出結果情報を含む監査結果情報を著作権者端末７０に送信する機能と、監査結果情報と分配金受付部５３から受けた報告情報とを比較し、分配金が正当な金額であるか否かを判定する機能と、判定結果情報を出力する機能とをもっている。
【００３９】
これら各機能部５２〜５４は、ハードウェアとソフトウエアの組合せとして実現される場合、その機能を実現させるためのプログラムを鍵発行者装置５０のコンピュータにインストールして実現される。また、各機能部５２〜５４は、それぞれその機能を実現させるためのファームウェアを含むＬＳＩ装置などの装置として実現可能であり、鍵発行装置５２、分配金受付装置５３及び監査処理装置５４と呼んでもよい。
【００４０】
決済機関装置６０は、決済機関による決済処理の結果により、コンテンツ毎に１ヶ月の売上データを作成し、この売上データを配信センタ装置２０に報告する機能をもっている。
【００４１】
著作権者端末７０は、コンテンツ著作権者の端末装置であり、配信センタ装置２０から受けた分配金及び配信数の報告に関し、コンテンツＩＤ及び販売時期を含む監査要求情報を鍵発行者装置５０に送信する機能と、鍵発行者装置５０から受けた監査結果情報と配信センタ装置２０から受けた報告情報とを比較し、報告された分配金が正当な金額であるか否かを判定する機能と、判定結果情報を出力する機能とをもっている。ここで、監査結果情報は、暗号化タイトル鍵の発行数（＝配信数＝販売数）から算出した分配金額及び配信数の情報を含んでいる。
【００４２】
次に、以上のように構成されたコンテンツ配信システムの動作を図８乃至図１１のシーケンス図を用いて説明する。
【００４３】
（ユーザ登録処理：図８）
ユーザ機器１０では、ユーザによる入力部１３の操作により、制御部１４が、有料コンテンツの販売サービスに加入するための申請データを通信部１６を介して配信センタ装置２０に送信する（ＳＴ１）。
【００４４】
配信センタ装置２０では、加入受付部２７がこの申請データを顧客情報蓄積部２１に保存すると共に、発行した認証情報をユーザ機器１０に送信する（ＳＴ２）。
【００４５】
ユーザ機器１０では、制御部１４が、通信部１６を介して受けた認証情報をＨＤＤ１２に保存する（ＳＴ３）。
【００４６】
（コンテンツ販売処理：図９及び図１０）
ユーザ機器１０では、ユーザによる入力部１３の操作により、制御部１４が配信センタ装置２０にログインするためのユーザＩＤ、パスワード及びＭＡＣアドレス（機器ＩＤ）を通信部１６を介して配信センタ装置２０に送信する（ＳＴ１１）。但し、機器ＩＤ（ＭＡＣアドレス）は新規加入時に未登録であれば配信センタ装置２０への登録を行う。
【００４７】
配信センタ装置２０では、このユーザＩＤ及びパスワードに基づいて、ユーザ認証処理を実行する（ＳＴ１２）。具体的には、認証処理部２８がユーザＩＤ及びパスワードに基づいて顧客情報蓄積部２１を検索し、当該ユーザＩＤ及びパスワードが顧客情報蓄積部２１に有るとき、ユーザ機器１０にログインを許可する。また、認証処理部２８は、画面生成部２９を起動する。
【００４８】
画面生成部２９は、コンテンツリスト画面データを生成し（ＳＴ１３）、この画面データをＭＡＣアドレスに基づいてユーザ機器１０に送信する。ユーザ機器１０は、コンテンツリスト画面を出力部１７に表示する（ＳＴ１４）。
【００４９】
次に、ユーザ機器１０では、ユーザの入力操作により、販売してもらうコンテンツ及び決済方法を選択し、制御部１４が、Ｒ／Ｗ部１５により記録メディアＭｄからメディアＩＤを読み出す。しかる後、ユーザ機器１０は、制御部１５が、メディアＩＤ及びコンテンツＩＤを含むコンテンツ販売要求を通信部１６を介して配信センタ装置２０に送信する。
【００５０】
配信センタ装置２０では、画面生成部２９がこのコンテンツ販売要求に基づいて、販売確認画面データを生成し（ＳＴ１５）、この画面データをユーザ機器１０に送信する。ユーザ機器１０は、販売確認画面を出力部１７に表示する（ＳＴ１６）。
【００５１】
次に、ユーザ機器１０では、ユーザの確認操作により、制御部１５が、メディアＩＤ及びコンテンツＩＤを含むチケット取得要求を通信部１６を介して配信センタ装置２０に送信する。
【００５２】
配信センタ装置２０では、販売処理部３０が、このチケット取得要求に基づいて、コンテンツＩＤ、セッションＩＤ、メディアＩＤ、及び配信サーバ装置４０のＵＲＬからなるチケットデータを作成し（ＳＴ１７）、このチケットデータをユーザ機器１０に送信する。
【００５３】
しかる後、販売処理部３０は、ユーザに販売した各コンテンツの情報を顧客購入情報蓄積部２３に保存し（ＳＴ１８）、クレジットカード番号に基づく通常の課金処理を実行し（ＳＴ１９）、ユーザに販売したコンテンツの情報を売上集計情報蓄積部２４に保存する（ＳＴ２０）。
【００５４】
一方、ユーザ機器１０では、制御部１４が、通信部１６から受けたチケットデータをＤＲＡＭ１１に記憶する（ＳＴ２１）。
【００５５】
続いて、ユーザ機器１０では、コンテンツ取得処理を開始する（ＳＴ２２）。ユーザ機器１０では、制御部１４がＤＲＡＭ１１からチケットデータを読出し、このチケットデータのうち、コンテンツＩＤを含むコンテンツ取得要求を通信部１６を介して、チケットデータ内のＵＲＬで示される配信サーバ装置４０に送信する（ＳＴ２３）。
【００５６】
配信サーバ装置４０は、コンテンツ取得要求に含まれるコンテンツＩＤに基づいて、対応する暗号化コンテンツをユーザ機器１０に配信する（ＳＴ２４）。
【００５７】
ユーザ機器１０では、制御部１４が、通信部１６から受けた暗号化コンテンツをＲ／Ｗ部１５により記録メディアＭｄに保存する（ＳＴ２５）。
【００５８】
次に、ユーザ機器１０では、制御部１４が、Ｒ／Ｗ部１５により記録メディアＭｄから読み出したＭＫＢ及びメディアＩＤと、コンテンツＩＤとを含む暗号化タイトル鍵取得要求を通信部１６を介して配信センタ装置２０に送信する（ＳＴ２６）。
【００５９】
配信センタ装置２０では、鍵配信部３１がこの暗号化タイトル鍵取得要求を鍵発行者装置５０に転送する（ＳＴ２７）。
【００６０】
鍵発行者装置５０では、この暗号化タイトル鍵取得要求により、鍵発行部５２が、暗号化タイトル鍵の発行を受け付け（ＳＴ２８）、鍵の発行数（＝販売数）を示す鍵発行履歴を鍵発行集計情報蓄積部５１に書き込む（ＳＴ２９）。
【００６１】
しかる後、鍵発行部５２は、暗号化タイトル鍵取得要求に含まれるＭＫＢ及びメディアＩＤに基づいて、コンテンツＩＤに対応するタイトル鍵を暗号化して暗号化タイトル鍵を生成し（ＳＴ３０）、得られた暗号化タイトル鍵を配信センタ装置２０に返信する。
【００６２】
配信センタ装置２０では、鍵配信部３１が、この暗号化タイトル鍵のログ情報を鍵発行ログ蓄積部２５に保持した後（ＳＴ３１）、暗号化タイトル鍵をユーザ機器１０に送信する（ＳＴ３２）。
【００６３】
ユーザ機器１０では、制御部１４が通信部１６から受けた暗号化タイトル鍵を記録メディアＭｄに保存する（ＳＴ３３）。
【００６４】
以上により、有料コンテンツの販売処理が終了する。  
続いて、ユーザ機器１０では、ユーザの入力操作により、再生を希望するコンテンツが選択されると、制御部１４が、記録メディアＭｄ内の暗号化タイトル鍵に基づいて、同メディアＭｄ内の暗号化コンテンツを再生する（ＳＴ３４）。
【００６５】
（分配金監査処理：図１１）
決済機関装置６０は、決済機関による決済処理の結果により、例えば毎月始めに、コンテンツ毎に先月分の売上データを作成し、この売上データを配信センタ装置２０に送信して報告する（ＳＴ４１）。
【００６６】
配信センタ装置２０では、分配金処理部３２が、コンテンツ毎の売上データに応じて、売上集計情報蓄積部２４及び分配情報蓄積部２６を参照しつつ、コンテンツ著作権者及び鍵発行者への分配金を算出する（ＳＴ４２）。例えば、売上データが２０００万円であり、著作権者への分配割合が５０％のとき、著作権者への分配金額を１０００万円と算出する。同様に、鍵発行者への分配割合が１５％のとき、鍵発行者への分配金額を３００万円と算出する。なお、図示するように、この本来の分配金額よりも低い分配金額を報告したとき、後述するステップＳＴ５１，５４の苦情処理が行なわれることになる。
【００６７】
いずれにしても、分配金処理部３２は、分配金及び配信数を含む分配金報告を著作権者端末７０及び鍵発行者装置５０にそれぞれ送信する（ＳＴ４３）。
【００６８】
著作権者端末７０は、分配金報告を受けると（ＳＴ４４）、コンテンツＩＤ及び販売時期を含む監査要求を鍵発行者装置５０に送信する（ＳＴ４５）。
【００６９】
同様に鍵発行者装置５０では、分配金受付部５３が、分配金報告を受けると（ＳＴ４６）、コンテンツＩＤ及び販売時期を含む監査要求を監査処理部５４に送出する（ＳＴ４７）。
【００７０】
監査処理部５４は、分配金受付部５３や著作権者端末７０から受けたコンテンツＩＤ及び販売時期を含む監査要求に基づいて、鍵発行集計情報蓄積部５１内の販売数に基づいて分配金を算出し、算出結果を含む監査結果を著作権者端末７０に送信する（ＳＴ４８）。
【００７１】
著作権者端末７０は、この監査結果と配信センタ装置２０から受けた分配金報告とを比較し、報告された分配金が正当な金額であるか否かを判定し（ＳＴ４９）、判定結果を出力する。
【００７２】
以後、著作権者端末７０は、著作権者の操作により、正当な金額に応じた売上処理を実行するか（ＳＴ５０）、又は不当な金額に応じた苦情処理を実行する（ＳＴ５１）。
【００７３】
同様に、鍵発行者装置５０では、監査処理部５４が、ステップＳＴ４８の監査結果と配信センタ装置２０から受けた分配金報告とを比較し、報告された分配金が正当な金額であるか否かを判定し（ＳＴ５２）、判定結果を出力する。
【００７４】
以後、鍵発行者装置５０は、鍵発行者の操作により、正当な金額に応じた売上処理を実行するか（ＳＴ５３）、又は不当な金額に応じた苦情処理を実行する（ＳＴ５４）。これらステップＳＴ５１，ＳＴ５４の苦情処理のうち、各装置７０，５０が実行するものとしては、例えば、苦情を記載した電子メールを配信センタ装置２０に送信する等がある。
【００７５】
上述したように本実施形態によれば、暗号化コンテンツの配信数に応じた分配金額とは別に、鍵発行者装置５０が、暗号化タイトル鍵の発行数に応じた分配金額を算出する構成により、有料コンテンツの実際の配信数に対応させて分配金を監査することができる。
【００７６】
すなわち、有料コンテンツを配信する場合にユーザがコンテンツを復号して再生するための復号鍵（タイトル鍵）を発行する機能を第三者機関とし、同時にコンテンツのタイトル毎の復号鍵を発行した際の履歴情報を鍵発行集計情報蓄積部５１に保存しておくことにより、後程、この履歴情報を元にコンテンツ著作権者が配信事業者から受領する分配金額が復号鍵の発行数及び個々のコンテンツの金額に応じた正当なものであることを確認することができる。
【００７７】
詳しくは、鍵発行者装置５０による分配金額の算出により、コンテンツ著作権者、及び鍵発行事業者は、それぞれ自己が受領する正当な分配金を確認することができる。また、各配信事業者の配信コンテンツ数を監視することにより、全てのコンテンツ著作権者及びライセンスセンタ（鍵発行事業者）の権利を保護できる。更に、保存した鍵発行集計情報（復号鍵発行履歴）からコンテンツの売上ランキング等の統計データを採取できる。
【００７８】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００７９】
また、この記憶媒体としては、プログラムを記憶でき、かつコンピュータが読み取り可能な記憶媒体であれば、その記憶形式は何れの形態であっても良い。
【００８０】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００８１】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００８２】
また、記憶媒体は１つに限らず、複数の媒体から本実施形態における処理が実行される場合も本発明における記憶媒体に含まれ、媒体構成は何れの構成であっても良い。
【００８３】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００８４】
また、本発明におけるコンピュータとは、パソコンに限らず、情報処理機器に含まれる演算処理装置、マイコン等も含み、プログラムによって本発明の機能を実現することが可能な機器、装置を総称している。
【００８５】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００８６】
【図１】本発明の一実施形態に係る分配金監査支援方法が適用されるコンテンツ配信システムの構成を示す模式図である。
【図２】同実施形態における顧客情報蓄積部の構成を示す模式図である。
【図３】同実施形態におけるコンテンツ管理情報蓄積部の構成を示す模式図である。
【図４】同実施形態における顧客販売情報蓄積部の構成を示す模式図である。
【図５】同実施形態における売上集計情報蓄積部の構成を示す模式図である。
【図６】同実施形態における鍵発行ログ蓄積部の構成を示す模式図である。
【図７】同実施形態における鍵発行集計情報蓄積部の構成を示す模式図である。
【図８】同実施形態における動作を説明するためのシーケンス図である。
【図９】同実施形態における動作を説明するためのシーケンス図である。
【図１０】同実施形態における動作を説明するためのシーケンス図である。
【図１１】同実施形態における動作を説明するためのシーケンス図である。
【符号の説明】
【００８７】
１０…ユーザ機器、１１…ＤＲＡＭ、１２…ＨＤＤ、１３…入力部、１４…制御部、１５…Ｒ／Ｗ部、１６…通信部、１７…出力部、２０…配信センタ装置、２１…顧客情報蓄積部、２２…コンテンツ管理情報蓄積部、２３…顧客販売情報蓄積部、２４…売上集計情報蓄積部、２５…鍵発行ログ蓄積部、２６…分配情報蓄積部、２７…加入受付部、２８…認証処理部、２９…画面生成部、３０…販売処理部、３１…鍵配信部、３２…分配金処理部、４０…配信サーバ装置、５０…鍵発行者装置、５１…鍵発行集計情報蓄積部、５２…鍵発行部、５３…分配金受付部、５４…監査処理部、６０…決済機関装置、７０…著作権者端末。
【図１】
2006155201.tif 000003
【図２】
2006155201.tif 000004
【図３】
2006155201.tif 000005
【図４】
2006155201.tif 000006
【図５】
2006155201.tif 000007
【図６】
2006155201.tif 000008
【図７】
2006155201.tif 000009
【図８】
2006155201.tif 000010
【図９】
2006155201.tif 000011
【図１０】
2006155201.tif 000012
【図１１】
2006155201.tif 000013